(57)【要約】【課題】エアフイルタ９の自動清掃時に発生する騒音を低減する。【解決手段】エアフイルタ９を清掃する自動フイルタ清掃装置１４と、人の存在を検知する人感センサ３１とを備える空気調和機において、空気調和機の運転時間を積算する運転時間積算タイマＴと、室内に人がいない時間を計時する無人継続タイマＡと、現在の時間帯Ｘを判定する時間帯判定手段と、無人継続タイマＡが作動して第１の所定時間Ａ１を検出したときに所定値Ｂを現在の時間帯Ｘに加算する無人積算手段と、無人積算手段で積算した時間帯別の無人積算値Ｙを記憶するメモリと、を備える室内制御部を有し、運転時間積算タイマＴが第２の所定時間Ｔ１以上を検知した後で、メモリに記憶された時間帯ごとの無人積算値Ｙの最高値Ｙ１に対応する最高時間帯Ｘ１を時間帯判定手段が検出したときにフイルタ清掃を実施することで、室内に人いない時間帯にエアフイルタの清掃を行うことができる。【選択図】図４
2019152366.tif 000002
【特許請求の範囲】
【請求項１】
エアフイルタを自動で清掃する自動フイルタ清掃装置と、
室内における人の存在を検知する人感センサと、を備える空気調和機において、
空気調和機の運転時間を積算する運転時間積算タイマＴと、
室内に人がいない時間を計時する無人継続タイマＡと、
現在の時間帯Ｘを判定する時間帯判定手段と、
前記無人継続タイマＡが作動して第１の所定時間Ａ１を検出したときに所定値Ｂを現在の時間帯Ｘに加算する無人積算手段と、
前記無人積算手段で積算した前記時間帯別の無人積算値Ｙを記憶するメモリと、を備える室内制御部を有し、
前記運転時間積算タイマＴが第２の所定時間Ｔ１以上を検知した後で、前記メモリに記憶された前記無人積算値Ｙの最高値Ｙ１に対応する最高時間帯Ｘ１を前記時間帯判定手段が検出したときにフイルタ清掃を実施することを特徴とする空気調和機。
【請求項２】
前記フィルタ清掃実施後に前記運転時間積算タイマＴと前記無人積算値Ｙをリセットすることを特徴とする請求項１に記載の空気調和機。
【請求項３】
前記最高値Ｙ１に対応する前記最高時間帯Ｘ１が複数存在する場合には、現在の時間帯Ｘに近い最新の時間帯Ｘ１を選択することを特徴とする請求項１に記載の空気調和機。
【発明の詳細な説明】
【技術分野】
【０００１】
本発明は、室内機に人感センサを備える空気調和機に関するものである。
【背景技術】
【０００２】
従来より、空気調和機の室内機に在室者の人数や存在を検知する人感センサを備え、この人感センサの検知結果に応じて、室内が不在の場合には設定室温を低出力側に設定変更することで無駄な電力の消費を削減して、省エネ運転を行うものが有った。（例えば、特許文献１参照）
また、おやすみ運転時での停止時にエアフイルタの自動清掃を行わないことで、エアフイルタの自動清掃で発生する騒音が使用者の睡眠の妨げになることを防止するものだった。（例えば、特許文献２参照）
【先行技術文献】
【特許文献】
【０００３】
【特許文献１】特許３５４９７１０号公報
【特許文献２】特許４２４１１９７号公報
【発明の概要】
【発明が解決しようとする課題】
【０００４】
エアフイルタの自動清掃時に発生する騒音の低減が必要であり、空気調和機の運転中に冷暖房運転を停止して、エアフイルタの自動清掃行った場合には、自動清掃が終了するまで冷暖房運転を再開できないことで、室温の変動が大きくなり使用者が不快に感じることが有った。
【課題を解決するための手段】
【０００５】
本発明は上記課題を解決するため、エアフイルタを自動で清掃する自動フイルタ清掃装置と、室内における人の存在を検知する人感センサと、を備える空気調和機において、空気調和機の運転時間を積算する運転時間積算タイマＴと、室内に人がいない時間を計時する無人継続タイマＡと、現在の時間帯Ｘを判定する時間帯判定手段と、前記無人継続タイマＡが作動して第１の所定時間Ａ１を検出したときに所定値Ｂを現在の時間帯Ｘに加算する無人積算手段と、前記無人積算手段で積算した前記時間帯別の無人積算値Ｙを記憶するメモリと、を備える室内制御部を有し、前記運転時間積算タイマＴが第２の所定時間Ｔ１以上を検知した後で、前記メモリに記憶された前記無人積算値Ｙの最高値Ｙ１に対応する最高時間帯Ｘ１を前記時間帯判定手段が検出したときにフイルタ清掃を実施するようにした。
【発明の効果】
【０００６】
本発明に係る空気調和機においては、室内における人の不在時にエアフィルタの自動清掃が行われるので、自動清掃時に発生する騒音で使用者が不快に感じることが無くなる。また、人の不在時にエアフィルタの自動清掃が行われるので、冷暖房運転の停止による室温の変動で使用者が不快に感じることを防止することができる。
【図面の簡単な説明】
【０００７】
【図１】本発明の一実施形態の斜視図。
【図２】同断面図。
【図３】同無人状態を説明するフローチャート図。
【図４】同自動清掃運転を説明するフローチャート図。
【図５】同時間帯Ｘと無人積算値Ｙを示すグラフ。
【図６】同制御ブロック図。
【発明を実施するための形態】
【０００８】
次に、この発明の空気調和機の一実施形態について説明する。
１はセパレート式空気調和機の室内機で、背面板２と後板３と前面カバー４とオープンパネル５で外枠を形成し、前記前面カバー４の前面に位置する前記オープンパネル５上部左右に設けた支軸（図示せず）を支点として前面カバー４の前方へ開閉自在に取付られる。
【０００９】
６は前面カバー４の上面にあり横長格子状の吸込口、７は前面カバー４の下方から底面にあり斜め前方に温度調節された空気を吹き出す横長の吹出口であり、吸込口６から吹出口７の間に空気通路８を形成している。この空気通路８の吸込口７の内側には、吸込空気内に含まれる塵埃を取り除く左右一対のエアフィルタ９を有し、このエアフィルタ９の更に内側（下流側）には、横長のフィンチューブ式の熱交換器１０を有し、その前後方向の中間部を頂部として側面視で逆Ｖ字状に配置されている。
【００１０】
また、前記熱交換器１０の下方には、横長のクロスフローファンから成る送風ファン１１が備えられ、前記吹出口７には、運転時に上下方向の吹出風の風向を調整すると共に停止時には自動的に吹出口７を閉じる上下風向板１２と、左右方向の吹出風の風向を調整する左右風向板１３とが備えられている。
【００１１】
１４は自動フィルタ清掃装置で、室内機１内の後方上部に位置し、前記エアフィルタ９に付着した塵埃を掻き取るブラシ１５と、エアフィルタ９を背面側に移動させるフィルタ駆動部１６とで構成されている。  
【００１２】
前記背面板２には、前記動フィルタ清掃装置１４側から落下してくる塵埃を下方に送るダストシュータ１７（第２空間）の後面１８を有し、この後面１８の中央稍上部には、４つの円柱が立設されたフィルタ案内板１９を固定する固定用円柱（図示せず）が形成されている。
【００１３】
前記フィルタ案内板１９の中央稍上部には前記固定用円柱に対向する固定孔（図示せず）が左右一対備えられ、フィルタ案内板１９を背面板２にネジ止め固定し、フィルタ案内板１９の背面は前記ダストシュータ１７（第２空間）の前面２０を形成しており、この前面２０と後面１８の間をエアフィルタ９から掻き取られた塵埃が落下する。
【００１４】
２１は前記フィルタ案内板１９の上端と平行となるように設置されたクシ歯であり、クシ歯２１の先端がブラシ１５に食い込むことで、エアフィルタ９から掻き取ったブラシ１５に付着した塵埃をブラシ１５から分離してダストシュータ１７側へ落とす。
２２は前記フィルタ案内板１９の左右端にあり後板３方向へ突出する側板であり、フィルタ清掃の時にエアフィルタ９の左右端がスライド可能な案内溝２３を有しており、フイルタ清掃の時には後板３とフィルタ案内板１９の間の空間であるフィルタ経路２４（第１空間）内をフィルタ９が上下方向に摺動する。
【００１５】
前記後板３の前面中央には後部ドレンパン２５を有し、この後部ドレンパン２５上方に前記熱交換器１０の後部が配置されることで、冷房運転時には熱交換器１０後部から発生する結露水を集積排水する。２６はケーシングであり、前方には所定の空間を隔てて前記送風ファン１１を備えている。送風ファン１１は横長円柱状で多数の羽根を有するクロスフロー型のファンで、ケーシング２６の左側面に取り付ける軸受け（図示せず）と、ケーシング２６の右側に取り付けられる送風モータ（図示せず）の回動軸との間で回転する。
【００１６】
２７は前部ドレンパンであり、上方に前記熱交換器１１の前部が配置されることで、冷房運転時には熱交換器１１前部から発生する結露水を集積排水する。また、前部ドレンパン２７の左右端には取付脚（図示せず）が備えられ、この取付脚を後板３に嵌め込むことで後板３に取り付けられる。
【００１７】
２８はダストボックスで、後板３の底面で前記ダストシュータ１７の下部に備える塵埃排出口２９に下方から図示しない把手を掴むことで着脱自在となるように設置する。なお、ダストボックス２８は、１年間のフィルタ清掃で発生した塵埃が溢れ出すことなく溜めることが十分に可能な容量を備えている。
【００１８】
３０はフィルタ溝で、エアフィルタ９の左右端部を保持する。方形状で柔軟性を有する前記エアフィルタ９を前方から差し込み、エアフィルタ９の先端がブラシ１５とフィルタ駆動部１６の位置まで移動させることで、エアフィルタ９が通常運転時の位置にセットされる。
【００１９】
前記エアフィルタ９には、方形状で多数の縦桟と横桟に樹脂製の網が溶着して設けられ、両端の縦桟に前記フィルタ駆動部１６の駆動歯車と噛み合うラック（図示せず）が形成されている。この構成により、フィルタ清掃時にはフィルタ駆動部１６の回転によりフィルタ９がフィルタ駆動部１６とブラシ１５の間を通過してフィルタ案内板１９の方向に送られる。また、フィルタ駆動部１６とブラシ１５の間を通過する際にはエアフィルタ９の表面に付着した塵埃をブラシ１５で掻き取って除去する。そして、ブラシ１５に付着した塵埃はクシ歯２１によってをダストシュータ１７側へ掻き落される。
【００２０】
前記吹出口７の右側には円形の人感センサ３１を有している。この人感センサ３１は人体から放射される赤外線を測定することにより、人の存在を検知する。また、前記吹出口７の右側上部には表示ランプ等の点灯で空気調和機の運転状態を知らせる表示部３２を備えている。
【００２１】
前記室内機１内にはプリント基板や電子部品で構成する室内制御部３３を有し、この制御部３３に前記人感センサ３１や送風ファン１１、室外制御部（図示せず）等が接続される。また、前記室内制御部３３には空気調和機の運転時間を積算する運転時間積算タイマＴと、前記人感センサ３１によって室内に人がいない時間を計時する無人継続タイマＡと、現在の時間帯Ｘを判定する時間帯判定手段３４と、前記無人継続タイマＡが作動して第１の所定時間Ａ１（３０分）を検出したときに所定値Ｂ（１）を現在の時間帯Ｘに加算する無人積算手段３５と、この無人積算手段３５で積算した無人積算値Ｙを記憶するメモリ３６と、を備えている。３７はリモコン等の操作部（図示せず）に備える自動清掃スイッチで、前記エアフィルタ９の自動清掃を選択する。
【００２２】
前記無人積算手段３５を図3のフローチャートをもとに説明する。空調運転を停止すれば、人感センサ３１にて室内の在室状態の監視を開始する。（ｓ１）次に、ｓ２にて室内が無人状態になれば、ｓ３に進んで無人継続タイマＡカウントを開始し、室内が有人状態であればｓ８に進んで無人継続タイマＡをクリア、リセットする。次に、ｓ４では無人継続タイマＡが３０分（第１の所定時間Ａ１）継続するまでｓ７と合わせて室内の無人状態を監視する。その間に室内に人が戻ってくれば、ｓ８に進んで無人継続タイマＡをクリア、リセットする。ｓ４にて無人継続時間が３０分以上になったら、時間帯判定手段３５で現在の時間帯Ｘを判定して時間帯Ｘに対応する時間帯の無人積算値Ｙに１（所定値Ｂ）を加算する。次に、ｓ６で空調運転を開始したかを判断し、運転開始するまでｓ２に戻って無人状態の積算を続け、空調運転開始で無人積算を終了する。（ｓ９）
【００２３】
自動フィルタ清掃運転の作動を図４のフローチャートをもとに説明する。空調運転を停止すれば（ｓ１０）、ｓ１１にてフィルタの自動清掃運転が選択されているかを判断し、自動清掃運転ならばｓ１２に進み、ｓ１２で空調運転の積算時間Ｔが２４時間（第2所定時間Ｔ１）以上かを判断し、Ｙｅｓならばｓ１３に進んで、Ｎｏであればフイルタの清掃はまだ必要ないのでｓ１７に進んで終了する。
【００２４】
ｓ１２で運転時間積算タイマＴが第２の所定時間Ｔ１（２４時間）以上を検知したときにはフイルタ９の清掃が必要な状態であると判断し、ｓ１３で無人積算手段３５における無人積算値Ｙが有るかをたしかめる。そして、Ｙｅｓでｓ１４に進んでメモリ３６に記憶された時間帯ごとの無人積算値Ｙが最高値Ｙ１（図５では５）に対応する最高時間帯Ｘ１（図５では１４：００から１４：３０の間）を前記時間帯判定手段３４が検出したときに（ｓ１５）フイルタ清掃を実施し、運転積算時間Ｔと無人積算時間Ｙをリセットする。（ｓ１６）その後ｓ１７で終了する。
【００２５】
なお、常時空調運転を継続する器具や、常に人の存在する部屋にすえつけられている空気調和機はｓ１３では無人積算を行うことができずにデータが存在しないことになる。また、最高値Ｙ１に対応する前記最高時間帯Ｘ１が複数存在する場合には、現在の時間帯Ｘに近い最新の時間帯Ｘ１を選択することで、一番最新の無人データを使用することでより正確なフイルタ清掃をすることができる。
【００２６】
このように、本件発明によれば、室内における人の不在時にエアフィルタ９の自動清掃が行われるので、自動清掃時に発生する騒音で使用者が不快に感じることが無くなる。また、人の不在時にエアフィルタ９の自動清掃が行われるので、冷暖房運転の停止による室温の変動で使用者が不快に感じることを防止することができる。
【００２７】
なお、本発明は上記一実施形態に限定されるものではなく、運転積算時間（第２の所定時間Ｔ１）や無人継続時間（第１の所定時間Ａ１）などは、使用者の生活様式や特性に応じて自由に変化できるものであり、発明の要旨を変更しない範囲で改変可能なものである。
【符号の説明】
【００２８】
１  室内機
９  エアフィルタ
１４  自動フィルタ清掃装置
３１  人感センサ
３３  室内制御部
３４  時間帯判定手段
３５  無人積算手段
【図１】
2019152366.tif 000003
【図２】
2019152366.tif 000004
【図３】
2019152366.tif 000005
【図４】
2019152366.tif 000006
【図５】
2019152366.tif 000007
【図６】
2019152366.tif 000008